(57)【特許請求の範囲】
【請求項１】
マイクロホン（３０４、４０６）用の付属品（１００、３００）であって、
発泡構造体（１０２）と、
前記発泡構造体の表面の第１の開口部（１１０）から前記発泡構造体の中に延びる第１のキャビティ（１０８）であって、マイクロホン（３０４、４０６）を前記キャビティの中に少なくとも部分的にシールして前記マイクロホンの受音要素が完全に前記構造体の中に設置されるように構成された、第１のキャビティ（１０８）と、
前記発泡構造体の表面の第２の開口部（１０６）から前記発泡構造体の中に延び、音源からの音を受け入れるように構成された第２のキャビティ（１０４）であって、該第２のキャビティの長軸に沿って実質的に均一な直径を有する円筒状キャビティである第２のキャビティと、
を備え、
前記第１のキャビティは、前記発泡構造体の内部で前記第２のキャビティと流体連通して前記第１のキャビティと前記第２のキャビティとの間に接合部が形成されるようになっており、前記接合部と、音キャビティと、前記マイクロホンのシールとが、前記マイクロホンの前記受音要素を、前記第２の開口部を通して受け入れる音以外の音から遮蔽するように作用する、
ことを特徴とする付属品（１００、３００）。
【請求項２】
前記発泡構造体が球体形状を有することを特徴とする請求項１に記載の付属品。
【請求項３】
前記発泡構造体の直径が、１０．２ｃｍと３０．５ｃｍ（４インチと１２インチ）との間であることを特徴とする請求項１または２のいずれかに記載の付属品。
【請求項４】
前記第１のキャビティ及び前記第２のキャビティの１つ又はそれ以上が、円筒形状を有することを特徴とする請求項１ないし３のいずれかの請求項に記載の付属品。
【請求項５】
前記第１のキャビティの長軸が、前記第２のキャビティの長軸に対して直角に延びることを特徴とする請求項１ないし４のいずれかの請求項に記載の付属品。
【請求項６】
前記第２のキャビティの直径が、１０．２ｃｍと１２．６ｃｍ（４インチと５インチ）との間であることを特徴とする請求項１ないし５のいずれかの請求項に記載の付属品。
【請求項７】
前記発泡構造体が、連続気泡ポリウレタンフォームであることを特徴とする請求項１ないし６のいずれかの請求項に記載の付属品。
【請求項８】
前記発泡構造体に結合されるマイクロホン（３０４、４０６）をさらに含むことを特徴とする請求項１ないし７のいずれかの請求項に記載の付属品。
【請求項９】
弾性結合部（４０４）をさらに含み、前記発泡構造体が、マイクロホンに対して、前記発泡構造体の前記第１の開口部と前記マイクロホンとの間の前記弾性結合部によって取外し自在に装着可能であることを特徴とする請求項１ないし８のいずれかの請求項に記載の付属品。
【請求項１０】
前記第２の開口部において前記発泡構造体に結合されるポップフィルタ（２００、３０２）をさらに含むことを特徴とする請求項１ないし９のいずれかの請求項に記載の付属品。
【請求項１１】
前記ポップフィルタが、前記発泡構造体に対して、前記ポップフィルタと前記発泡構造体の前記第２の開口部との間の弾性結合部によって取外し自在に装着されることを特徴とする請求項１０に記載の付属品。
【請求項１２】
雑音軽減のためのシステムであって、
マイクロホン（３０４、４０６）と、
前記マイクロホンの受音要素３１０が少なくとも部分的に構造体（１０２）内にシールされるように前記マイクロホンを前記構造体内に設置するための手段と、
前記構造体の表面の開口部（１０６）から前記構造体内の第２の位置に延びて、前記第２の位置と、前記マイクロホンが前記設置手段によって保持されたときの前記受音要素との間に空隙が配置されるようになっている、キャビティ（１０４）であって、該キャビティの長軸に沿って実質的に均一な直径を有する円筒状キャビティであるキャビティと、
を含むことを特徴とする、システム。
【請求項１３】
雑音を軽減するための方法であって、
発泡構造体（１０２）の第１の開口部（１１０）を通して前記発泡構造体内の第１のキャビティ（１０８）の中にマイクロホン（３０４、４０６）を受け入れるステップであって、前記マイクロホンが、前記第１のキャビティを通って前記発泡構造体内の第２のキャビティ（１０４）の中に延び、前記第２のキャビティが、前記発泡構造体内で前記第１のキャビティと流体連通し、前記発泡構造体の表面の第２の開口部（１０６）から延び、前記第２のキャビティが、該第２のキャビティの長軸に沿って実質的に均一な直径を有する円筒状キャビティである、ステップと、
演奏音源から前記第２のキャビティを介して演奏音を受けるステップと、
前記発泡構造体により、前記発泡構造体の外部表面に入射する音波を減衰させるステップと、
を含むことを特徴とする方法。
【請求項１４】
前記発泡構造体を緩衝マウント（４０４）のクレードル内に据え付けるステップをさらに含むことを特徴とする請求項１３に記載の方法。
【請求項１５】
マイクロホン（３０４、４０６、６１４）用の付属品であって、
発泡構造体（１０２）と、
前記発泡構造体の表面の第１の開口部（６１０）から前記発泡構造体の中に延びる第１のキャビティ（６０８）であって、携帯機器（６１２）を少なくとも部分的に前記キャビティの中にシールするように構成された、第１のキャビティ（６０８）と、
前記発泡構造体の表面の第２の開口部から前記発泡構造体の中に延び、音源からの音を受けるように構成された第２のキャビティ（１０４）であって、該第２のキャビティの長軸に沿って実質的に均一な直径を有する円筒状キャビティである第２のキャビティと、
を含み、
前記第１のキャビティは、前記発泡構造体内で前記第２のキャビティと流体連通して前記第１のキャビティと前記第２のキャビティとの間に接合部が形成されるようになっており、前記接合部と、音キャビティと、前記携帯機器のシールとが、前記携帯機器に結合したマイクロホンの前記受音要素を、前記第２の開口部を通して受ける音以外の音から遮蔽するように働く、
ことを特徴とする付属品。
【発明の詳細な説明】
【技術分野】
【０００１】
本発明は、例えば演奏を録音する際にマイクロホンで拾う望ましくない雑音を軽減することに関する。
【０００２】
本出願は、２０１２年９月５日に出願された米国特許出願番号第１３／６０５，５８９号及び２０１３年２月１３日出願の米国特許出願番号第１３／７６６，３７１号による優先権を主張する。これら先行する出願は引用により全ての目的に関してその全体が本明細書に組み入れられる。
【背景技術】
【０００３】
マイクロホンを音の録音用の処理が施されていない空間で演奏を録音するために用いると、演奏に関係ない音をマイクロホンが拾ってしまうことがある。周囲雑音又は「部屋の音（ｒｏｏｍ  ｔｏｎｅ）」は、空間内に発生する、室内のエアコン又はコンピュータのファンの音などの雑音を含み得る。外部から空間に入ってくる交通騒音などの雑音もまた、周囲雑音レベルに寄与することがある。演奏の録音中にマイクロホンが拾う周囲雑音は、録音の品質を損なう場合がある。
【０００４】
さらに、演奏音は、空間の内部表面、例えば、壁、天井、床、家具等で反射される場合がある。反射音波がマイクロホンに到達するとき、反射音波は、演奏者からマイクロホンに直接伝わる音波と位相がずれることがある。これら反射音波は、演奏の、濁り音又はエコーとしてマイクロホンに拾われることがある。
【０００５】
これらの問題点のため、演奏は、録音用に特別に処理が施された部屋で録音される場合が多い。例えば、部屋の内部表面は、室内の演奏音の反射を低減するために吸音材で処理を施すことができる。部屋の窓及びドアは、外部騒音の空間内への侵入を低減するように設計された材料で補強又は構築することができる。室内の機械雑音を低減するために付加的な手段を講じることができる。こうした手段により、録音用に部屋に処理を施すことが、費用がかかる複雑な試みを必要とするものとなる可能性がある。さらに、録音が家の中で行われる場合、部屋の外観を必要に応じて録音に適するように変更することが望ましくない場合がある。
【０００６】
録音のための処理が施されていない室内で、可搬式録音ブースを組み立てることができる。可搬式録音ブースは、マイクロホンが拾う反射音の量を低減するように吸音材で処理が施された壁及び天井を有するものとすることができる。ブースは、費用が掛かり、複雑な組立プロセスを要し、組み立てたときに室内の空間の相当量を占有することがある。
【発明の概要】
【発明が解決しようとする課題】
【０００７】
本発明の実施形態は、これら及び他の問題を解決する。
【課題を解決するための手段】
【０００８】
携帯用マイクロホン付属品を用いて雑音を軽減するための方法及び装置を記載する。
【０００９】
１つの実施形態によれば、マイクロホン用の付属品は、発泡構造体を含む。第１のキャビティは、発泡構造体の表面の第１の開口部から発泡構造体内に延びる。第１のキャビティは、マイクロホンをキャビティ内で少なくとも部分的にシールして該マイクロホンの受音要素が完全に構造体内に設置されるように構成される。発泡構造体の表面の第２の開口部から発泡構造体内に延びる第２のキャビティは、音源からの音を受け取るように構成される。第１のキャビティは、発泡構造体内で第２のキャビティと流体連通しており、第１のキャビティと第２のキャビティとの間に接合部が形成される。接合部と、音キャビティと、マイクロホンのシールとが、マイクロホンの受音要素を、第２の開口部を通して受け入れる音以外の音から遮蔽するように作用する。
【００１０】
別の実施形態において、雑音軽減のためのシステムは、マイクロホンと、マイクロホンの受音要素が構造体の内部で少なくとも部分的にシールされるようにマイクロホンを構造体内に設置するための手段とを含む。キャビティは、構造体の表面の開口部から構造体内の第２の位置に延びており、マイクロホンが設置手段によって保持される場合に第２の位置と受音要素との間に空隙が配置されるようになっている。
【００１１】
さらなる実施形態において、雑音を軽減するための方法は、発泡構造体の第１の開口部を通して発泡構造体内の第１のキャビティの中にマイクロホンを収容する段階を含む。マイクロホンは、第１のキャビティを通って発泡構造体内の第２のキャビティの中に延びる。第２のキャビティは、発泡構造体内で第１のキャビティと流体連通し、発泡構造体の表面の第２の開口部から延びる。演奏音は、演奏音源から第２のキャビティを経由して受け取る。第２のキャビティの外部表面に入射する音波は、発泡構造体により減衰される。
【００１２】
別の実施形態によれば、マイクロホン用の付属品は、発泡構造体を含む。第１のキャビティは、発泡構造体の表面から発泡構造体の中に延びる。第１のキャビティは、携帯機器をキャビティ内で少なくとも部分的にシールするように構成される。付属品はまた、発泡構造体の表面の第２の開口部から発泡構造体の中に延びる第２のキャビティを有する。第２の開口部は、音源からの音を受け入れる。第１のキャビティは、発泡構造体の内部で第２のキャビティと流体連通しており、第１のキャビティと、第２のキャビティと、携帯機器のシールとの間の接合部を形成するようになっている。接合部は、携帯機器に結合したマイクロホンの受音要素を、第２の開口部を通して受け取る音以外の音から遮蔽するように作用する。
【００１３】
本発明の本質及び利点をより良く理解するために、以下の説明及び添付の図面を参照すべきである。しかしながら、各図面は例示のみを目的として提示されたものであり、本発明の範疇の限定するものと解釈すべきでないことを理解されたい。
【図面の簡単な説明】
【００１４】
【図１】一実施形態による、例示的な雑音軽減用マイクロホン付属品を示す。
【図２】一実施形態による、例示的なポップフィルタを示す。
【図３】一実施形態よる、例示的な雑音軽減用マイクロホン付属品の中へのポップフィルタ及びマイクロホンの挿入を示す。
【図４】一実施形態による、緩衝マウント内に据え付けられた状態で示された例示的な雑音軽減用マイクロホン付属品の正面図である。
【図５】一実施形態による、雑音軽減用マイクロホン付属品を用いた、録音中の雑音軽減のためのプロセスの例示的なフローチャートである。
【図６】携帯機器を収容するように構成されたキャビティを有する例示的な雑音軽減用マイクロホン付属品を示す。
【発明を実施するための形態】
【００１５】
本発明の実施形態は、録音取り込み時の雑音を雑音軽減用マイクロホン付属品によって軽減することに関する。雑音とは、あらゆる不要の音、すなわち録音中にマイクロホンに検出させたくない音のことを指すものとすることができる。例えば、周囲雑音、及び演奏音源から発生する音波の反射などの雑音を軽減することが望ましい場合がある。雑音軽減用マイクロホン付属品は、マイクロホンが録音中に拾う雑音の量を低減することができる。
【００１６】
雑音軽減用マイクロホン付属品は、典型的には、発泡構造体、例えば発泡体（フォーム）球体などである。雑音軽減用マイクロホン付属品は、２つの開口部を有することができる。マイクロホンは、開口部の一方を通して、発泡構造体内の第１の中空キャビティ（「マイクロホンキャビティ」）の中に挿入することができる。第２の開口部は、歌手又は楽器などの音源の近くに配置することができる。音源から放射される音は、第２の開口部を通って第２の中空キャビティ（「音キャビティ」）の中に伝わる。マイクロホンキャビティと音キャビティとは交差するものとすることができ、音源からの音が音キャビティを介してマイクロホンに伝わることを可能にするようになっている。いくつかの実施形態において、マイクロホンは、マイクロホンキャビティを通って音キャビティの中に延びることができる。他の実施形態において、マイクロホンは、マイクロホンキャビティを通って音キャビティの中に延びる携帯機器に結合することができる。
【００１７】
マイクロホンは、マイクロホンと発泡構造体との間の弾性結合部によって発泡構造体に取り付けることができる。弾性結合部は、マイクロホンのケーシングの周囲にシールを形成することができる。シールは、マイクロホンキャビティを通って音キャビティに入る雑音の量を低減することができる。
【００１８】
いくつかの実施形態において、携帯機器に結合されたマイクロホンを、雑音軽減用マイクロホン付属品と共に用いることができる。本明細書において「マイクロホン」という用語を用いる場合、携帯機器又はマイクロホン付属品を有するその他の装置を用いることができる。例えば、携帯機器は、該携帯機器に結合されたマイクロホンが音キャビティの中に延びるように、マイクロホンキャビティを通して延びることができる。
【００１９】
音キャビティを囲む構造体（例えば発泡体）は、音キャビティの外部表面に入射する音波を減衰させ、該構造体を通って音キャビティ内に伝わる音波を減衰させるようにする、音波減衰材料とすることができる。いくつかの実施形態において、構造体は、雑音軽減用マイクロホン付属品の外部表面に入射する音を吸収することができる。構造体はさらに、音キャビティの内部表面に入射する音波を減衰させて、音キャビティから構造体を通って構造体の外部に伝わる音波を減衰させるようにすることができる。構造体はさらに、音キャビティの内部表面に入射する雑音を吸収することができる。開口部で受けて音キャビティの中に入る演奏音は、音キャビティに沿ってマイクロホンへと導かれることができる。
【００２０】
図１は、一実施形態による雑音軽減用マイクロホン付属品の側面図を示す。雑音軽減用マイクロホン付属品１００は、音キャビティ１０４及びマイクロホンキャビティ１０８を有する構造体１０２を含むことができる。いくつかの実施形態において、構造体１０２は、吸音特性を有する発泡体である。例えば、構造体１０２は、連続気泡ポリウレタンフォームなどのポリウレタンフォームとすることができる。発泡体は、４０乃至１５０ポンド毎５０平方インチ（ｌｂ．／５０ｉｎ2）、例えば６５乃至７０ｌｂ．／５０ｉｎ2、例えば７０ｌｂ．／５０ｉｎ2の、２５％変形時の圧入力たわみ値（ＩＦＤ：Ｉｎｄｅｎｔａｔｉｏｎ  Ｆｏｒｃｅ  Ｄｅｆｌｅｃｔｉｏｎ）を有することができる。発泡体は、１．５乃至３．５ポンド毎立方フィート（ＰＣＦ）、例えば２．４５〜２．６５ＰＣＦ、例えば２．５ＰＣＦの密度閾値を有することができる。ポリウレタンフォームは、モールド内で製作することができる。発泡体は、スキン層付きで製作することができ、又はスキン層なしで製作するかまたはスキン層を有さないように改変することができる。好ましい実施形態において、発泡体はスキン層を有さない。
【００２１】
構造体１０２は、球体形状を有することができる。後述するように、球体形状により、雑音軽減用マイクロホン付属品を緩衝マウント内に支持することができる。ポリウレタンフォームは時間が経つと変色することがあるが、このような変色は、球体形状を有する発泡体では（他の形状に比べて）球面が均等に空気に曝されるので比較的目立たないものとすることができる。構造体１０２は、２インチから３０インチまでの範囲、例えば４インチから１２インチまで、例えば７．６インチの直径を有する球体とすることができる。球体形状はまた、緩衝マウント内に雑音軽減用マイクロホン付属品を据え付けることを容易にすることができる。このことは、雑音軽減用マイクロホン付属品を、緩衝マウント付きのマイクロホンスタンドに取り付けられたマイクロホンと共に用いることを可能にする。
【００２２】
音キャビティ１０４は、構造体１０２の表面の開口部１０６から延びることができる。いくつかの実施形態において、音キャビティ１０４は、円筒形状を有する。円筒形状により、音キャビティ１０４の円周の周り及び内部に沿って均等な音の吸収及び／又は反射を可能にすることができる。構造体１０２を構成することができる材料の吸音特性により、音キャビティ１０４内で発生する音の反射は低いか又は無視できるものとなり得ることが理解されるであろう。音キャビティ１０４は、１インチから１２インチまでの範囲、例えば４インチから５インチまで、例えば４・１／４インチの直径を有するものとすることができる。音キャビティ１０４は、３インチから１５インチまでの範囲、例えば５インチから６インチまで、例えば５・１／２インチの長さを有するものとすることができる。音キャビティ１０４から構造体１０２の外面までの距離は、１インチから６インチまでの範囲、例えば、１・１／２インチから３インチまで、例えば２インチとすることができる。
【００２３】
マイクロホンキャビティ１０８は、構造体１０２の表面の開口部１１０から延びて、音キャビティ１０４と交差することができる。いくつかの実施形態において、マイクロホンキャビティ１０８は、円筒形状を有する。円筒形状により、マイクロホンキャビティ１０８は、円筒形ケーシング、矩形ケーシング等の様々なケーシングを有するマイクロホンを収容することが可能になる。マイクロホンは、開口部１１０を介してマイクロホンキャビティ１０８の中に挿入することができる。マイクロホンは、マイクロホンキャビティ１０８を通って音キャビティ１０４の中に延びることができる。マイクロホンキャビティ１０８は、１／２インチから３インチまでの範囲、例えば１インチから２インチまで、例えば１・３／４インチの直径を有するものとすることができる。マイクロホンキャビティ１０８は、１インチから６インチまでの範囲、例えば１・１／２インチから３インチまで、例えば２インチの長さを有するものとすることができる。
【００２４】
いくつかの実施形態において、マイクロホンキャビティ１０８は、非円形断面を有するマイクロホン、携帯機器、又はその他の装置を受け入れるように、矩形、正方形、楕円形、又はその他の非円形断面を有することができる。例えば、マイクロホン付属品１００と共に用いられるマイクロホンは、矩形断面を有する携帯電話などの携帯機器に結合することができる。マイクロホンキャビティ１０８は、矩形断面積を有する携帯機器を受け入れるように構成された矩形断面積を有することができる。携帯機器がマイクロホンキャビティ１０８の中に挿入されると、マイクロホンキャビティ１０８は、携帯機器をキャビティの中にシールすることができる。あるいは、変換用差込部、例えば円形断面形から矩形断面形への変換用差込部をマイクロホンキャビティ１０８の中に挿入して、マイクロホンキャビティ１０８の断面積とは異なる断面積を有するマイクロホン、携帯機器、又はその他の装置を収容することができる。変換用差込部は、発泡体材料の１つ又はそれ以上の部品を含むことができる。装置と共にマイクロホンキャビティ１０８に挿入されると、変換用差込部は、装置をマイクロホンキャビティ１０８内にシールすることができる。
【００２５】
別の実施形態において、マイクロホン付属品１００は、マイクロホンキャビティ１０８の代わりにスリット又は穴を有することができる。例えば、スリット又は穴は、マイクロホンケーブルなどのケーブルが、マイクロホン付属品１００の外部から音キャビティ１０４内に全体的に又は部分的に配置されたマイクロホン又は携帯機器まで通ることを可能にするのにちょうど十分な大きさとすることができる。マイクロホンキャビティ１０８の代わりに用いられるスリットは、開口部１１０の位置に配置することができる。あるいは、スリットを開口部１０６に対向して配置し、その結果、スリットを通ってマイクロホンに至るケーブルが音キャビティ１０４の長軸と平行になるようにすることができる。
【００２６】
マイクロホンは、開口部１０６から距離を置いて、例えば、１インチから８インチまでの範囲、例えば１・１／２インチから４インチまで、例えば２・１／２インチの距離を置いて配置することができる。マイクロホンはまた、音キャビティの開口部１０６に対向する端部から距離を置いて、例えば、１インチから８インチまでの範囲、例えば２インチから５インチまで、例えば３インチの距離を置いて配置することもできる。マイクロホンを開口部１０６から距離を置いて配置することで、音キャビティ１０４に入った雑音がマイクロホンキャビティ１０８内のマイクロホンに達する前に音キャビティ１０４の吸収性内部表面と相互作用することが可能になる。例えば、雑音は、音キャビティ１０４の内部表面で吸収されるような角度で音キャビティに入り得る。音キャビティ１０４は、演奏音源からマイクロホンに直接伝わる演奏音に対しては最小限の影響しか有さないものとすることができる。
【００２７】
音キャビティ１０４とマイクロホンキャビティ１０８とは、互いに多様な角度で配向することができる。例えば、音キャビティ１０４の長軸とマイクロホンキャビティ１０８の長軸とが、図１の例証的な例で示すように互いに直角を成すようにすることができる。他の実施形態において、音キャビティ１０４の長軸を、マイクロホンキャビティ１０８の長軸と心合わせすることができる（例えば、雑音軽減用マイクロホン付属品を貫通して延びる単一のキャビティがマイクロホンキャビティと音キャビティの両方として機能するように、キャビティの一端でマイクロホンを受け、キャビティの他方の端で音を受けることができる）。
【００２８】
演奏音源は、音キャビティ１０４の開口部１０６の近くに配置することができる。例えば、マイクロホン付属品１００は、開口部１０６が歌手の口元と位置合わせされ、口元に面するように位置決めすることができる。別の実施形態において、１０６は、楽器に隣接して位置決めすることができる。典型的には、開口部１０６は、演奏音源に対して、演奏音源を録音するためにマイクロホンを置く場合と同様の位置に置かれる。マイクロホンは精密部品を含んでいるので、マイクロホンが保護カバーを有していない場合、マイクロホンを損傷から保護するために、マイクロホンを演奏音源から十分な距離を置いて配置することができる。このようにして、マイクロホンを、楽器又は演奏者が偶発的にぶつかることから保護することができる。雑音軽減用マイクロホン付属品の発泡構造体は、耐衝撃性を提供することによってマイクロホンを保護することができる。雑音軽減用マイクロホン付属品１００の構造はマイクロホンを振動又は衝突から保護することができるので、雑音軽減用マイクロホン付属品１００の開口部１０６は、付属品なしでマイクロホンを配置する場合よりも演奏音源の近くに配置することができる。
【００２９】
いくつかの実施形態において、演奏音を取り込むときに複数のマイクロホン付属品１００を用いることができる。例えば、楽器の集団、例えば打楽器の集団（例えばドラムセット）が演奏に用いられる場合、異なるマイクロホンを用いて、楽器集団の各楽器を同時に録音することができる。マイクロホン付属品１００は、各マイクロホンと共に用いることができる。複数のマイクロホン付属品の各マイクロホン付属品の音キャビティ１０４の開口部１０６は、ドラムセット又は他の楽器集団の異なるパートに面するように位置決めすることができる。例示的な実施形態において、あるマイクロホンは、ドラムセットの各ドラムに対して「近接マイク（ｃｌｏｓｅ−ｍｉｋｅｄ)」位置（例えば、１から１２インチまで、例えば２から４インチまで）に配置することができ、あるマイクロホンは、１つ又はそれ以上のシンバルの各々に対して近接マイク位置に配置することができる。
【００３０】
別の実施形態において、複数の演奏者による演奏を、複数のマイクロホン及び各マイクロホン用の付属品１００を用いて取り込むことができる。例えば、複数のマイクロホンを用いて、１人又はそれ以上の歌手及び／又は１人又はそれ以上の楽器奏者を有する音楽グループの演奏を同時に取り込む場合、付属品１００は、各マイクロホンと共に用いることができる。複数のマイクロホン付属品の各マイクロホン付属品の音キャビティ１０４の開口部１０６は、歌手及び／又は楽器奏者の各々（又はグループ）に面するように位置決めすることができる。
【００３１】
さらなる実施形態において、マイクロホン付属品１００は、ビデオ又は他の動画記録中の演技音を取り込むために用いられるブームマイクロホン又は他のマイクロホンと共に用いることができる。ブームマイクロホンは、典型的にはブームポールの一端に配置される。ブームポールの他端は、ブーム操作者によって操作又はその他の方法で操ることができる。ブームマイクロホンを俳優又はアクションの近くではあるがカメラのフレームの外側に配置することにより、ブームマイクロホンを用いて、俳優又はアクションに関連する演技音を取り込むことができる。音キャビティ１０４の開口部１０６は、注目する音源である俳優又はアクションに面するように位置決めすることができる。
【００３２】
図２は、一実施形態による雑音軽減用マイクロホン付属品に結合することができるポップフィルタ２００を示す。例えば、ポップフィルタ２００は、雑音軽減用マイクロホン付属品１０の付属品の開口部１０６の中に挿入することができる。ポップフィルタは、破裂音（例えば、文字「Ｂ」又は「Ｐ」を発音するときに生じ得る音）及び歯擦音（例えば、文字「Ｓ」又は「Ｚ」を発音するときに生じ得る音）がマイクロホンで録音される際に生じるポップ音を低減及び／又は除去するために用いることができる。ポップフィルタ２００は、ベース２０６及びリップ２０４を含むことができる。ベース２０６及びリップ２０４は、金属、プラスチック、又はその他の材料とすることができる。ベース２０６及びリップ２０４は、単一部品として作ることができる。リップ２０４は、開口部１０６を越えて構造体１０２の上に延びることができる。ポップフィルタ２００は、リップ２０４の内周によって定められる領域全体にわたって延びるメッシュ２０２を含むことができる。メッシュ２０２は、例えば、ポリエステル、金属、又はナイロンのメッシュとすることができる。多様な材料又は構造を、雑音軽減用マイクロホン付属品と組み合わせてポップフィルタとして用いることができることが認識されるであろう。
【００３３】
図３は、一実施形態による、雑音軽減用マイクロホン付属品構造体３００の中へのポップフィルタ及びマイクロホンのような要素の挿入を示す。ポップフィルタ３０２は、図２を参照して説明したポップフィルタ２００に対応するものとすることができる。ポップフィルタ３０２は、構造体３００の開口部３０６に挿入することができる。構造体３００の材料は、ポップフィルタが構造体３００の開口部３０６内に挿入され、構造体３００の材料によって構造体３００に対して所定位置に保持されることができるように、弾性のあるものすることができる。
【００３４】
マイクロホン３０４は、雑音軽減用マイクロホン付属品３００のマイクロホンキャビティ３０８の中に挿入することができる。構造体３００の材料は、異なるサイズのマイクロホンをマイクロホンキャビティ３０８によって収容することができるように、弾性とすることができる。いくつかの実施形態において、マイクロホン３０４を構造体３００の開口部３０８の中に挿入すると、構造体３００の材料は、雑音軽減用マイクロホン付属品３００をマイクロホン３０４に弾性的に結合する。マイクロホン３０４の基部が開口部３０８内にぴったりと嵌らないほど細い場合には、差込部、例えば発泡体カラー差込部をマイクロホンケーシングの周りに配置することができる。このように、マイクロホンの基部の直径を大きくして、マイクロホン基部が開口部３０８内にぴったりと嵌ることができるようにすることができる。マイクロホン３０４が開口部３０８内に挿入されると、マイクロホン３０４のケーシング（又はマイクロホン３０４の周りにしっかりと固定されたカラー）と開口部３０８との間の弾性結合部は、シールを形成することができる。シールは、マイクロホンキャビティを通って音キャビティに入る雑音の量を低減することができる。いくつかの実施形態において、マイクロホン３０４と開口部３０８との間の弾性結合部は、雑音軽減用マイクロホン付属品をマイクロホン３０４から吊り下げることを可能にすることができる（すなわち、図３を１８０度に回転させた場合のように）。
【００３５】
マイクロホン３０４は、受音要素３１０及びケーシング３１２を含むことができる。受音要素３１０は、カプセル、ダイアフラム、保護要素などの要素を含むことができる。マイクロホン３０４は、多様なマイクロホンのいずれであってもよい。マイクロホンの型式は、例えば、コンデンサ型、エレクトレットコンデンサ型、ダイナミック型、等とすることができる。典型的には、マイクロホン３０４は、録音スタジオ環境での使用に合わせて設計されたものであるが、その他のマイクロホンを用いることもできることが認識されるであろう。マイクロホン３０４は、無指向性、カーディオイド、ハイパーカーディオイド、スーパーカーディオイド等のような、任意の極性パターンを有するものとすることができる。
【００３６】
雑音軽減用マイクロホン付属品は、無指向性マイクロホンの性能を演奏音の録音用に高めることができる。当業者には認識されるように、無指向性マイクロホンは、歌手から直接到達する音とその他の方向からの音（例えば、環境騒音、及び演奏音源からの反射音）とをほぼ等しく拾うので、歌唱のような特定の音源からの演奏を録音するために用いるには望ましくない場合がある。対照的に、雑音軽減用マイクロホン付属品を無指向性マイクロホンと共に用いると、雑音軽減用マイクロホン付属品は、音キャビティを介して直接演奏音を受け、他の方向から到達する音を減衰及び／又は吸収することができる。
【００３７】
図４は、一実施形態による、緩衝マウント内に据え付けた状態で示される雑音軽減用マイクロホン付属品の正面図４００である。いくつかの実施形態において、雑音軽減用マイクロホン付属品４０２は、緩衝マウント４０４内に据え付けることができる。緩衝マウントは、マイクロホン４０６をマイクロホンスタンドに取り付けられた弾性体の中に吊り下げて、マイクロホンスタンドからマイクロホンへの振動の伝達を最小限することができる、機械式固定具である。雑音軽減用マイクロホン付属品の形状は、これを緩衝マウント内に取り付けられたマイクロホン４０６と共に用いることを可能にする。雑音軽減用マイクロホン付属品は、マイクロホンスタンドに直接取り付けられたマイクロホンと共に用いることもできる。
【００３８】
雑音軽減用マイクロホン付属品４０２を緩衝マウント４０４内に取り付けるために、雑音軽減用マイクロホン付属品４０２は、緩衝マウント４０４の上腕部によって形成されたクレードル内に据え付けられる。このようにして、雑音軽減用マイクロホン付属品４０２は、緩衝マウント４０４に対して所定位置に重力によって保持される。
【００３９】
図５は、一実施形態による、雑音軽減用マイクロホン付属品を用いた、録音中に音を導くためのプロセス５００のフローチャートである。
【００４０】
ブロック５０２において、マイクロホンは、雑音軽減用マイクロホン付属品１００の第１の開口部、例えばマイクロホンキャビティ１０８の開口部１１０の中に挿入される。ブロック５０４において、マイクロホンを、第１のキャビティ１０８を通して、雑音軽減用マイクロホン付属品１００の第２のキャビティ、例えば音キャビティ１０４の中に延ばすことができる。ブロック５０６において、演奏音源、例えば歌手の口元を、雑音軽減用マイクロホン付属品の第２の開口部、例えば開口部１０６の近くに配置することができる。ブロック５０８において、マイクロホンを用いて、第２の開口部を介して第２のキャビティに入る演奏音源からの音波を録音することができる。
【００４１】
図６は、矩形断面形のマイクロホンキャビティ６０８を有する例示的なマイクロホン付属品６００を示す。いくつかの実施形態において、マイクロホンキャビティ６０８は、マイクロホン付属品６１４付きの携帯機器６１２を受け入れるように構成することができる。マイクロホンキャビティ６０８は、構造体１０２の表面の開口部６１０から延びることができ、音キャビティ１０４と交差することができる。
【００４２】
携帯機器６１２は、携帯電話、タブレット、メディアプレーヤ、又はその他の手持ち式電子装置とすることができる。マイクロホン６１４は、携帯機器に物理的及び／又は機械的に結合するように構成されたマイクロホンとすることができる。例えば、マイクロホン６１４は、ＵＳＢ、１／８インチ、３０ピン又はその他のコネクタのような携帯機器のコネクタを介して、携帯機器６１２に結合することができる。マイクロホン６１４は、例えば、ＶｅｒｉＣｏｒｄｅｒのＭｉｎｉ  Ｍｉｃ、Ｂｒａｎｄｏ  ＷｏｒｋｓｈｏｐのＦｌｅｘｉｂｌｅ  Ｍｉｎｉ  Ｃａｐｓｕｌｅマイクロホン、又はＢｌｕｅ  ＭｉｃｒｏｐｈｏｎｅｓのＭｉｋｅｙのような、小型マイクロホンとすることができる。マイクロホンキャビティ６０８は、取り付けられたマイクロホンを有する装置を受け入れるように構成された、矩形又は他の形状の断面を有することができる。
【００４３】
本明細書に記載の実施形態は、録音環境における雑音軽減のための既存の解決策の費用と比べて低費用で製造することができる携帯用装置を提供する。雑音軽減用マイクロホン付属品を、ホームスタジオ、屋外、又はその他の環境での音の録音のために用いて、マイクロホンが演奏中の不要な音を拾うことを防止することができる。マイクロホンは、雑音軽減用マイクロホン付属品の第１の開口部の中に挿入することができ、マイクロホンキャビティを通って音キャビティの中に延びることができる。音キャビティは、雑音軽減用マイクロホン付属品の表面の第２の開口部から延びることができる。演奏音源は、典型的には、第２の開口部の近くに配置される。雑音軽減用マイクロホン付属品の外部に入射した音は、雑音軽減用マイクロホン付属品の構造体によって減衰される。
【００４４】
本発明を特定の実施形態に関して説明してきたが、当業者は、多数の改変が可能であることを認識するであろう。従って、本発明を特定の実施形態に関して説明してきたが、本発明は、以下の特許請求の範囲内の全ての改変及び均等物を網羅することが意図されることが理解されよう。
【産業上の利用可能性】
【００４５】
本発明は、例えば演奏を録音するときに、マイクロホンが拾う不要の雑音を軽減することに関する。
【符号の説明】
【００４６】
１００、３００、４０２：マイクロホン付属品
１０２：構造体
１０４：第２のキャビティ（音キャビティ）
１０６、３０６：第２の開口部
１０８、３０８、６０８：第１のキャビティ（マイクロホンキャビティ）
１１０、６１０：第１の開口部
２００、３０２：ポップフィルタ
３０４、４０６、６１４：マイクロホン
３１０：受音要素
３１２：ケーシング
４０４：緩衝マウント
６１２：携帯機器
【図１】
0006288651.tif 000002
【図２】
0006288651.tif 000003
【図３】
0006288651.tif 000004
【図４】
0006288651.tif 000005
【図５】
0006288651.tif 000006
【図６】
0006288651.tif 000007